(57)【要約】【課題】内視鏡先端部に内蔵する撮像素子モジュールの組み付け性と放熱性の向上を図ることができる構造を提供する。【解決手段】内視鏡先端部１７に内蔵され被写体からの入射光を受光する撮像素子と５９と、撮像素子５９及び撮像素子駆動回路部品７７等が実装され、所要箇所Ｂ１で折り曲げられ内視鏡先端部１７に内蔵されるフレキシブルな回路基板５７と、回路基板５７の所要箇所Ｂ１に並列に設けられた複数のスリットに嵌合して熱接触され、一端側が内視鏡先端部１７内の構造物６１に熱接触される放熱用のフレキシブル基板８８とを備える。【選択図】図３
2012050756.tif 000002
【特許請求の範囲】
【請求項１】
内視鏡先端部に内蔵され被写体からの入射光を受光する撮像素子と、
該撮像素子及び撮像素子駆動回路部品が実装され、所要箇所で折り曲げられ前記内視鏡先端部に内蔵されるフレキシブルな回路基板と、
該回路基板の前記所要箇所に設けられた複数のスリットに嵌合して熱接触され、一端側が前記内視鏡先端部内の構造物に熱接触される放熱用のフレキシブル基板と
を備える内視鏡装置。
【請求項２】
請求項１に記載の内視鏡装置であって、前記フレキシブル基板の他端側の表面が前記撮像素子の撮像面と反対側の面に接着された内視鏡装置。
【請求項３】
請求項１又は請求項２に記載の内視鏡装置であって、前記スリットが貫通孔である内視鏡装置。
【請求項４】
請求項１又は請求項２に記載の内視鏡装置であって、前記スリットは前記回路基板の表面絶縁層を剥ぎ下地の金属膜を露出させたスリットである内視鏡装置。
【請求項５】
請求項１乃至請求項４のいずれか１項に記載の内視鏡装置であって、前記回路基板の前記スリットに嵌合する前記フレキシブル基板の嵌合構造が前記スリットと逆位相のスリットで構成される内視鏡装置。
【請求項６】
内視鏡先端部に内蔵され被写体からの入射光を受光する撮像素子と、該撮像素子及び撮像素子駆動回路部品が実装され所要箇所で折り曲げられ前記内視鏡先端部に内蔵されるフレキシブルな回路基板とを備える内視鏡装置の撮像素子放熱方法であって、
前記回路基板の前記所要箇所に設けられた複数のスリットに嵌合して熱接触され一端側が前記内視鏡先端部内の構造物に熱接触される放熱用のフレキシブル基板により前記撮像素子の放熱を行う内視鏡装置の撮像素子放熱方法。
【請求項７】
請求項６に記載の内視鏡装置の撮像素子放熱方法であって、前記フレキシブル基板の他端側の表面が前記撮像素子の撮像面と反対側の面に接着される内視鏡装置の撮像素子放熱方法。
【請求項８】
請求項６又は請求項７に記載の内視鏡装置の撮像素子放熱方法であって、前記スリットが貫通孔である内視鏡装置の撮像素子放熱方法。
【請求項９】
請求項６又は請求項７に記載の内視鏡装置の撮像素子放熱方法であって、前記スリットは前記回路基板の表面絶縁層を剥ぎ下地の金属膜を露出させたスリットである内視鏡装置の撮像素子放熱方法。
【請求項１０】
請求項６乃至請求項９のいずれか１項に記載の内視鏡装置の撮像素子放熱方法であって、前記回路基板の前記スリットに嵌合する前記フレキシブル基板の嵌合構造が前記スリットと逆位相のスリットで構成される内視鏡装置の撮像素子放熱方法。
【発明の詳細な説明】
【技術分野】
【０００１】
本発明は、先端部に撮像素子を内蔵した内視鏡装置及びその撮像素子放熱方法に関する。
【背景技術】
【０００２】
電子装置を組み立てる場合、組み立ての自由度を高めるために、フレキシブル回路基板を用いるのが一般的である。フレキシブル回路基板を用いることで、任意箇所での折り曲げが可能となるが、更に、下記の特許文献１，２に記載されている様に、フレキシブル回路基板の折り曲げ箇所に複数のスリットを設けておくことで、折り曲げ箇所の可撓性が更に増し、組み立てが容易となる。
【０００３】
電子装置の一種である内視鏡装置の先端部には撮像素子が内蔵されるが、この撮像素子もフレキシブル回路基板に取り付けられる。近年の内視鏡装置は、被検体に挿入する先端部の径が１ｃｍ以下となるように細径化が進んでおり、スリット付きのフレキシブル回路基板を採用するのが好ましい。
【０００４】
内視鏡装置に搭載する撮像素子は、一般的なデジタルスチルカメラに搭載される撮像素子に比べて画素数は少ないが、撮像画像を表示するモニタ装置の高精細化が進む関係で、多画素化される傾向にある。
【０００５】
撮像素子は発熱部品であり多画素化が進むと発熱量が増えてしまう。また、撮像素子を実装するフレキシブル回路基板には、各種の撮像素子駆動回路部品も一緒に搭載され、撮像素子を高速駆動すると、これらの発熱量も多くなってしまう。このため、内視鏡装置の先端部に撮像素子を組み付ける場合、高い放熱性能が要求される。この放熱は、撮像素子や駆動回路部品の熱を内視鏡装置の他部材に速やかに逃がす構造にすることで行われるが、高い放熱性と、細径化が進む内視鏡装置の狭い先端部への撮像素子の組み付け性とを両立させるのが困難である。
【先行技術文献】
【特許文献】
【０００６】
【特許文献１】特開２００４―３５６５６８号公報
【特許文献２】特開２００７―４３１２９号公報
【発明の概要】
【発明が解決しようとする課題】
【０００７】
本発明の目的は、高い放熱性と狭い内視鏡装置先端部への撮像素子の組み付け性の両立を図った内視鏡装置及びその撮像素子放熱方法を提供することにある。
【課題を解決するための手段】
【０００８】
本発明の内視鏡装置は、内視鏡先端部に内蔵され被写体からの入射光を受光する撮像素子と、該撮像素子及び撮像素子駆動回路部品が実装され、所要箇所で折り曲げられ前記内視鏡先端部に内蔵されるフレキシブルな回路基板と、該回路基板の前記所要箇所に設けられた複数のスリットに嵌合して熱接触され、一端側が前記内視鏡先端部内の構造物に熱接触される放熱用のフレキシブル基板とを備えることを特徴とする。
【０００９】
本発明の内視鏡装置の撮像素子放熱方法は、内視鏡先端部に内蔵され被写体からの入射光を受光する撮像素子と、該撮像素子及び撮像素子駆動回路部品が実装され所要箇所で折り曲げられ前記内視鏡先端部に内蔵されるフレキシブルな回路基板とを備える内視鏡装置の撮像素子放熱方法であって、前記回路基板の前記所要箇所に設けられた複数のスリットに嵌合して熱接触され一端側が前記内視鏡先端部内の構造物に熱接触される放熱用のフレキシブル基板により前記撮像素子の放熱を行うことを特徴とする。
【発明の効果】
【００１０】
本発明によれば、高い放熱性と狭い内視鏡装置先端部への撮像素子の組み付け性の両立を図ることが可能となる。
【図面の簡単な説明】
【００１１】
【図１】本発明の一実施形態に係る内視鏡装置の全体構成図である。
【図２】図１に示す内視鏡装置の先端部の外観図である。
【図３】図２のＡ―Ａ線断面図である。
【図４】図３に示すフレキシブルな回路基板の展開図である。
【図５】図３の矢線Ｃから見た撮像装置側を見た矢視図である。
【図６】２つのフレキシブル基板の熱接触部を説明する平面図である。
【図７】２つのフレキシブル基板の熱接触部を説明する図６に対応する斜視図である。
【図８】本発明の別実施形態に係る内視鏡先端部の断面図である。
【発明を実施するための形態】
【００１２】
以下、本発明の一実施形態について、図面を参照して説明する。
【００１３】
図１は本発明の実施形態に係る内視鏡装置の全体構成図である。内視鏡装置１００は、本体操作部１１と、この本体操作部１１に連設され患者等の体腔内に挿入される内視鏡挿入部１３とを備える。
【００１４】
本体操作部１１には、ユニバーサルケーブル１５が接続され、このユニバーサルケーブル１５の先端に不図示のコネクタが設けられる。このコネクタは不図示の光源装置に着脱自在に連結され、これによって内視鏡挿入部１３の先端部１７に内蔵された照明光学系に上記の光源装置から照明光が送られる。また、このコネクタには、ビデオコネクタも接続され、このビデオコネクタが画像信号処理等を行う不図示のプロセッサに着脱自在に連結される。
【００１５】
内視鏡挿入部１３は、本体操作部１１側から順に、軟性部１９と、湾曲部２１と、先端部１７とを備え、湾曲部２１は、本体操作部１１のアングルノブ２３，２５を回動することによって遠隔的に湾曲操作される。これにより、先端部１７は、所望の方向に向けられる。
【００１６】
本体操作部１１には、前述のアングルノブ２３，２５の他、送気・送水ボタン，吸引ボタン，シャッターボタン等の各種ボタン２７が並設されている。また、本体操作部１１から内視鏡挿入部１３側へ延長された連設部２９には、鉗子挿入部３１が設けられる。鉗子挿入部３１から挿入された鉗子等の処置具（図示省略）は、内視鏡挿入部１３の先端部１７に形成された鉗子口３３（図２参照）から導出される。
【００１７】
図２は、上述した先端部１７の概略外観図であり、図３は、図２のＡ−Ａ断面図である。図２に示すように、内視鏡挿入部１３（図１参照）の先端部位である先端部（以降、内視鏡先端部とも呼称する）１７は、その先端面３５に、撮像光学系の観察窓３７と、観察窓３７の両脇に配置された照明光学系の照射口３９Ａ，３９Ｂと、その近傍に配置された鉗子口３３とを備える。更に、観察窓３７に送気・送水するノズル４１が、噴出口を観察窓３７に向けて配置されている。
【００１８】
図３に示すように、内視鏡先端部１７は、ステンレス鋼材などの金属材料からなる先端硬質部４３と、先端硬質部４３に形成された穿設孔４３ａに鏡筒４５を嵌挿して固定される撮像部４７と、他の穿設孔４３ｂに配設された金属製の鉗子パイプ４９とを備える他、ノズル４１に接続される送気・送水管５１、更に照明光学系に接続される不図示の導光用ライトガイド等の各種の部材が収容されている。
【００１９】
撮像部４７は、鏡筒４５に収容された複数の対物レンズで構成される対物レンズ群５３と、この対物レンズ群５３を通して取り込まれる被写体からの入射光（観察光）の光路Ｌを直角に変更する三角プリズム５５と、直角に光路Ｌが変更された入射光を受光する撮像素子５９とを備える。
【００２０】
撮像素子５９は、詳細は後述するフレキシブルな回路基板５７に実装されており、撮像素子５９に取り込まれた被写体の画像情報に基づく画像信号は、この回路基板５７を通じて出力される。
【００２１】
これら対物レンズ群５３、三角プリズム５５、及び撮像素子５９を含む撮像光学系は、内視鏡先端部１７に内蔵され、撮像装置として機能する。また、照射口３９Ａ，３９Ｂ（図２参照）に配置されるレンズ等の光学部材及びこの光学部材に接続されるライトガイドは、照明光学系を構成する。これらも内視鏡先端部１７内に内蔵される。撮像素子５９から出力される画像情報は、信号ケーブル６１を通じて不図示の上記プロセッサに送信され、表示用画像に処理される。
【００２２】
先端硬質部４３の外周には不図示の金属スリーブが接続され、この金属スリーブには、湾曲部２１（図１参照）に配設される不図示の節輪が湾曲自在に接続されている。金属スリーブの外周は外皮チューブ５０で覆われており、先端硬質部４３の先端側は先端カバー６３で覆われている。これら外皮チューブ５０と先端カバー６３とは、内部への浸水がないように互いに密着して接合されている。
【００２３】
対物レンズ群５３は三角プリズム５５の入射側端面５５ａに接続されており、三角プリズム５５の出射側端面５５ｂには透光性保護基板であるカバーガラス６５が接合されている。カバーガラス６５の三角プリズム５５とは反対側には、エアーギャップ６７を介して撮像素子５９が配置されている。エアーギャップ６７は、撮像素子５９の周囲に配置された枠体６０によって予め定めた容積に設定される。
【００２４】
撮像素子５９が実装された回路基板５７は、図３中の第１折り曲げ軸Ｂ１で湾曲状態で大きく先端側に折り返され、更に、第２折り曲げ軸Ｂ２で三角プリズム５５の全反射面となるプリズム外面の全反射斜面（以下、単に斜面と称する）に沿って図中の水平面から上方へ湾曲状態で折り曲げられ、三角プリズム５５の斜面を押圧している。
【００２５】
ここでは、撮像素子５９へ光を導く光学部材として三角プリズム５５を例示しているが、これに限らず、他の形状、他の方式の光路変更部材であってもよい。また、カバーガラス６５は、観察光に対する透光性を有していればよく、ガラス材に限らず透明樹脂等の他の材料であってもよい。
【００２６】
次に、上記のフレキシブルな回路基板５７について、より詳細に説明する。図４は、フレキシブルな回路基板５７を展開した状態を示す平面図であり、図５は、図３に示す撮像装置をＣ方向から見た矢視図である。
【００２７】
図４に示すように、回路基板５７は、ＦＰＣ（フレキシブルプリント基板（Flexible Printed Circuits））であり、撮像素子５９を実装する撮像素子実装部（第１基板部）６９と、撮像素子実装部６９に第１折り曲げ軸Ｂ１及び第２折り曲げ軸Ｂ２を介して連設された各種電子部品が実装される部品実装部７１と、この部品実装部７１と第３折り曲げ軸Ｂ３を介して連設されたケーブル接続部（第４基板部）７３とを有する。部品実装部７１は、第２折り曲げ軸Ｂ２を境に第１部品実装部（第２基板部）７１ａと第２部品実装部（第３基板部）７１ｂに区分されている。
【００２８】
撮像素子実装部６９は、図４に示す回路基板５７の下面側に撮像素子５９が実装され、撮像素子５９の受光面が開口部７５側を向けて配置されている。そして、開口部７５内に、図３で説明した枠体６０とカバーガラス６５が配置される。
【００２９】
部品実装部７１は、撮像素子５９を駆動・制御するための各種電子部品７９，８０等が実装され、第２部品実装部７１ｂには後述するレギュレータ７７が実装されている。
【００３０】
また、ケーブル接続部７３には、図４の裏側に形成されたランド８１（図３参照）に信号ケーブル６１の各リード線６１ａが半田付け等により接続されている。
【００３１】
回路基板５７は、図３に示すように、第１折り曲げ軸Ｂ１で折り曲げることにより、第１部品実装部７１ａに実装されている電子部品７９が、撮像素子実装部６９の開口部７５における部品実装部７１側の縁部から第１折り曲げ軸Ｂ１までの領域Ｗに対面する。このとき、回路基板５７の領域Ｗの表面は、絶縁層で覆われているので、電子部品７９が撮像素子実装部６９に近接配置されても絶縁性が確保される。また、電子部品７９に近接する他の電子部品から輻射熱を受けることや、放射ノイズによる影響を受けることが防止される。
【００３２】
回路基板５７は、第２部品実装部７１ｂが折り曲げ軸Ｂ２で折り曲げられ、第２部品実装部７１ｂが三角プリズム５５の斜面に沿うように配置される。これにより、第２部品実装部７１ｂに実装された電子部品のうち、特に発熱の大きいレギュレータ７７が三角プリズム５５の斜面に当接する。
【００３３】
このとき、レギュレータ７７及び第２部品実装部７１ｂに実装された他の電子部品８０は、回路基板５７を折り曲げ軸Ｂ２で折り曲げることにより、回路基板５７自体の弾性反発力で三角プリズム５５の斜面に押圧される。そして、第２部品実装部７１ｂと三角プリズム５５の斜面との間に、レギュレータ７７及び他の電子部品８０と三角プリズム５５の斜面との当接を保持するため、接着剤を充填して接着剤層８９を形成する。これにより、レギュレータ７７及び他の電子部品８０が三角プリズム５５と隙間なく密着して固定され、三角プリズム５５の斜面から離れることがない。
【００３４】
回路基板５７は、ケーブル接続部７３を、図５に示すように折り曲げ軸Ｂ３で折り曲げることで、信号ケーブル６１をケーブル接続部７３と第１部品実装部７１ａとの間に挟み込む。このとき、ケーブル接続部７３に対面する第１部品実装部７１ａの非部品実装面（部品実装面の裏面）が絶縁層で覆われているので、信号ケーブル６１を接続するランド等の絶縁性を向上できる。
【００３５】
従って、回路基板５７は、図３に示すように、最下層に撮像素子実装部６９、中間層に部品実装部７１ａ，７１ｂ、最上層にケーブル接続部７３と、多層状に折り曲げられた状態で撮像素子５９及び三角プリズム５５に固定される。また、回路基板５７は、三角プリズム５５に固定された第２部品実装部７１ｂの、撮像素子５９に対する遠位端Ｐよりも撮像素子５９側（図３における下側）に、折り曲げ軸Ｂ２とケーブル接続部７３が配置される。
【００３６】
この配置関係になるまで回路基板５７を折り畳むことで、折り曲げ軸Ｂ２における第２部品実装部７１ｂの弾性反発力を増大でき、かつ、設置スペースを小さく収めることができる。
【００３７】
フレキシブルな回路基板５７は、表面と裏面に夫々金属膜でなる配線（撮像素子５９と信号ケーブル６１の配線６１ａが半田付けされるランド８１との間を接続する配線８５、撮像素子５９と各種電子部品７７，８０等とを接続する配線（図４の裏面側に形成される配線））がプリントされたフィルム状基板を備え、このフィルム状基板の表裏が絶縁層で被覆されて構成される。フィルム状基板の配線が設けられない領域は配線と同一金属でなる広い面積の膜８６で覆われ、この金属膜８６がアース電位に接続される。
【００３８】
本実施形態の回路基板５７は、大きく折り曲げる軸Ｂ１の位置に、軸Ｂ１に直交する並列の複数の長手のスリット８７を設けている。複数のスリット８７は、折り曲げる位置の幅に対して均等に設けられ、夫々が回路基板５７の表面から裏面側に貫通する貫通孔となっている。配線８５や裏面側の配線は、隣接するスリット８７間に敷設される。これにより、回路基板５７は、折り曲げ位置Ｂ１において可撓性が増し、容易に湾曲させることが可能となり、撮像素子モジュール（撮像素子５９を実装した回路基板５７）の先端部１７への組み付け性が向上する。
【００３９】
本実施形態の内視鏡装置１００では、撮像素子モジュールで発生した熱の放熱特性を高めるために、図３に示す様に、放熱用のフレキシブル基板８８を設けている。このフレキシブル基板８８は、一端側表面が撮像素子５９の裏面（観察光が入射する撮像面に対し反対側の反撮像面）全面に接着材等で貼り合わされ、更に回路基板５７の折り曲げ位置Ｂ１において湾曲されて後述の様に回路基板５７と熱接触（以下、この箇所を熱接触部という。）され、他端側の表面は、信号ケーブル６１の外皮に所定以上の広い面積で接着される。
【００４０】
この放熱用のフレキシブル基板８８を設けることで、撮像素子モジュールで発生した熱はフレキシブル基板８８を通して信号ケーブル６１の外皮に伝達され、放熱される。撮像素子モジュールのレギュレータ７７等で発生した熱の一部は、三角プリズム５５に伝達して放熱され、残りの一部の熱は、回路基板５７を伝達して折り曲げ位置Ｂ１の上記の熱接触部からフレキシブル基板８８に伝わり、信号ケーブル６１の外皮に伝達して放熱される。
【００４１】
撮像素子５９で発生した熱の一部は、回路基板５７を伝達し、折り曲げ位置Ｂ１の上記の熱接触部からフレキシブル基板８８に伝わり、信号ケーブル６１の外皮に伝達して放熱される。これと同時に、撮像素子５９で発生した残りの熱の一部は、撮像素子５９の裏面側からフレキシブル基板８８に伝達し、信号ケーブル６１の外皮に伝達して放熱される。
【００４２】
なお、撮像素子５９の裏面にフレキシブル基板８８を貼り付けるスペースが無い場合には、この貼り付けを省略し、撮像素子５９の熱を熱接触部を通しフレキシブル基板８８で放熱する構造としても良い。
【００４３】
図６，図７は、回路基板５７とフレキシブル基板８８の熱接触部を簡略的に説明する図であり、図６は平面図、図７は斜視図である。図６（ａ），図７（ａ）に示す様に、回路基板５７の折り曲げ位置Ｂ１（熱接触部）には、上述した様に、複数のスリット８７が並列して設けられている。これに対し、フレキシブル基板８８にも、スリット８７とは逆位相の複数のスリット８９が並列して設けられている。逆位相とは、スリット８７が存在しない位置に対応してスリット８９が設けられることを言う。
【００４４】
この２つの基板５７，８８を、図６（ｂ），図７（ｂ）に示す様に、２つに湾曲させながら折り曲げる。これにより、基板５７の折り曲げ部の先端には凹凸（凹部がスリット８７）が形成され、基板８８の折り曲げ部の先端にも凹凸（凹部がスリット８９）が形成される。
【００４５】
基板５７の折り曲げ部の先端と、基板８８の折り曲げ部の先端とを、図６（ｃ），図７（ｃ）に示す様に、突き合わせると、各スリット８７，８９が逆位相の関係にあるため、一方の凸部が他方の凹部に挿入嵌合し、両基板５７，８８が全幅に渡って嵌合状態となる。これにより、両基板５７，８８の良好な熱接触が可能となる。
【００４６】
なお、図６，図７は、両方の基板５７，８８の熱的接触を行う方法を説明する図であり、撮像素子５９等の図示は省略している。また、図３のフレキシブル基板８８と図６，図７のフレキシブル基板８８の折曲（湾曲）の仕方は異なるが、熱的接触部の基本的な嵌合方法は同じである。図６，図７で、フレキシブル基板８８の一方の側に撮像素子５９を貼り付けない場合には、その一方の側の基板８８は短くて良い。
【００４７】
この様に、スリット８７，８９を用いて嵌合させ熱接触を図る構成のため、撮像素子モジュールの組み付け性を阻害することなく、良好な放熱特性を得ることが可能となる。
【００４８】
上述した実施形態では、スリット８７，８９を夫々貫通孔で形成したが、スリットを貫通孔とする必要はない。例えば、図４のスリット８７を形成する位置にアース電位印加用の金属膜８６を形成しておき、スリットとして上皮の絶縁層だけを剥いで金属膜８６を露出させ、フレキシブル基板８８に同様にスリット（上皮の絶縁層部分を剥ぎ下地の金属膜を露出させたスリット）を形成し、両者を図６，図７で説明した様に嵌合接触させることで、熱接触をはかることでも良い。
【００４９】
この場合、図８に示す様に、回路基板５７とフレキシブル基板８８とは、嵌合位置Ｂ１において交差することなく接触状態となり、基板５７と基板８８との組み付け性は図３の内視鏡装置より向上する。
【００５０】
なお、上述した実施形態では、信号ケーブル６１にフレキシブル基板８８の一端側表面を所要面積以上接着して放熱を図っているが、放熱用にフレキシブル基板８８を接着させる構造物は信号ケーブル６１に限るものではなく、他の構造物であっても良い。例えば、鉗子パイプ４９であっても良い。
【００５１】
また、回路基板５７とフレキシブル基板８８とは、各スリット位置で嵌合させたが、全スリットで嵌合させる必要はなく、例えば１つ置きのスリットで嵌合させる構成としても良い。空いた部分のスリット位置は、接着代としたり、別配線等に用いても良い。
【００５２】
更にまた、回路基板５７のスリット８７とフレキシブル基板８８のスリット８９とが逆位相として説明したが、完全な逆位相である必要はなく、嵌合させることが可能な程度の逆位相であれば良い。なお、スリット８７に嵌合するフレキシブル基板８８の嵌合構造は、スリット８９による構造に限るものではなく、別の嵌合構造であっても良い。例えば、各スリット８７に嵌合する突部を予めフレキシブル基板８８に形成しておいてもよい。
【００５３】
以上述べた様に、実施形態の内視鏡装置は、内視鏡先端部に内蔵され被写体からの入射光を受光する撮像素子と、該撮像素子及び撮像素子駆動回路部品が実装され、所要箇所で折り曲げられ前記内視鏡先端部に内蔵されるフレキシブルな回路基板と、該回路基板の前記所要箇所に設けられた複数のスリットに嵌合して熱接触され、一端側が前記内視鏡先端部内の構造物に熱接触される放熱用のフレキシブル基板とを備えることを特徴とする。
【００５４】
また、実施形態の内視鏡装置の撮像素子放熱方法は、内視鏡先端部に内蔵され被写体からの入射光を受光する撮像素子と、該撮像素子及び撮像素子駆動回路部品が実装され所要箇所で折り曲げられ前記内視鏡先端部に内蔵されるフレキシブルな回路基板とを備える内視鏡装置の撮像素子放熱方法であって、前記回路基板の前記所要箇所に設けられた複数のスリットに嵌合して熱接触され一端側が前記内視鏡先端部内の構造物に熱接触される放熱用のフレキシブル基板により前記撮像素子の放熱を行うことを特徴とする。
【００５５】
また、実施形態の内視鏡装置及びその撮像素子放熱方法は、前記フレキシブル基板の他端側の表面が前記撮像素子の反撮像面に接着されることを特徴とする。
【００５６】
また、実施形態の内視鏡装置及びその撮像素子放熱方法は、前記スリットが貫通孔であることを特徴とする。
【００５７】
また、実施形態の内視鏡装置及びその撮像素子放熱方法は、前記スリットが前記回路基板の表面絶縁層を剥ぎ下地の金属膜を露出させたスリットであることを特徴とする。
【００５８】
また、実施形態の内視鏡装置及びその撮像素子放熱方法は、前記回路基板の前記スリットに嵌合する前記フレキシブル基板の嵌合構造が前記スリットと逆位相のスリットで構成されることを特徴とする。
【００５９】
以上述べた実施形態によれば、フレキシブル基板で撮像素子の放熱を図ることが可能なため、撮像素子モジュールの内視鏡先端部内への組み付け性を阻害することなく、高い放熱性能を得ることが可能となる。
【産業上の利用可能性】
【００６０】
本発明に係る内視鏡装置及びその撮像素子放熱方法は、組み立て性能が高く放熱性能も高いため、細径化を図る内視鏡装置に適用すると有用である。
【符号の説明】
【００６１】
１１  操作部
１３  内視鏡挿入部
１７  先端部
２１  湾曲部
２３，２５  アングルノブ
３３  鉗子口
３７  観察窓
５３  対物レンズ群
５５  三角プリズム
５７  フレキシブルな回路基板
５９  撮像素子
６１  信号ケーブル
７７  レギュレータ（発熱部品）
８７，８９  スリット
８８  フレキシブル基板（放熱用）
１００  内視鏡装置
【図１】
2012050756.tif 000003
【図２】
2012050756.tif 000004
【図３】
2012050756.tif 000005
【図４】
2012050756.tif 000006
【図５】
2012050756.tif 000007
【図６】
2012050756.tif 000008
【図７】
2012050756.tif 000009
【図８】
2012050756.tif 000010